【手続補正書】
【提出日】平成20年9月9日(2008.9.9)
【手続補正１】
【補正対象書類名】特許請求の範囲
【補正対象項目名】全文
【補正方法】変更
【補正の内容】
【特許請求の範囲】
【請求項１】
対象物を撮像して、この写真画像に、少なくとも時刻情報と撮影方向と撮影位置とからなる撮影識別情報を付加した撮影識別情報付き写真画像を、電子端末が監視センターのサーバに送信し、該監視センターのサーバが前記撮影位置を含む地図又はデジタル写真画像を電子端末の画面に提供する位置方位付き写真提供システムであって、
前記電子端末は、
位置情報取得機能、撮影方向取得機能、通信機能、時刻情報計測機能、写真画像取得機能を有し、該写真画像取得機能で前記対象物を撮影したとき、その撮影に同期して写真画像に、前記位置情報取得機能の位置情報、前記撮影方向取得機能の撮影方向及び前記時刻情報計測機能の時刻情報を組み合わせた撮影識別情報を前記写真画像に合成し、これを撮影識別情報付き写真画像として前記監視センターのサーバに送信する手段を有し、
前記監視センターのサーバは、
緯度経度が割り振られた地図を記憶した第１のデータベースと、前記撮影識別情報付き写真画像を記憶する第２のデータベースと、時刻情報毎でかつ地図の座標系でメッシュ群が定義された撮影アイコン図が記憶される第３のデータベースとを有し、
前記撮影識別情報付き写真画像を前記第２のデータベースに記憶して、この撮影識別情報付き写真画像の撮影位置を含む地図を前記第１のデータベースから検索する手段と、
前記地図が検索される毎に、前記撮影識別情報付き写真画像の撮影位置を、前記検索された地図上の座標系で前記メッシュ群を前記第３のデータベースに、前記時刻情報毎に定義する手段と、
前記撮影識別情報付き写真画像の撮影方向を読み、該撮影方向を前記メッシュ群に定義し、この方向に従った矢印付きの撮影アイコンを、前記定義された位置のメッシュに生成して前記時刻情報毎の前記撮影アイコン図を得る手段と、
位置が指定されたとき、該位置を有する前記時刻情報毎の撮影アイコン図を合成した統合撮影アイコン図を生成し、この統合撮影アイコン図と前記指定された位置を有する前記第１のデータベースの地図を抽出し、該抽出した地図を合成した撮影位置・方向アイコン付き画像を得て、これを画面に表示させる手段と
を有することを特徴とする位置方位付き写真提供システム。
【請求項２】
前記サーバは、
前記地図のデジタル航空写真画像を記憶した第４のデータベースを有し、前記位置が指定されて前記地図を抽出したとき、該抽出した地図の前記デジタル航空写真画像を前記第４のデータベースから抽出し、該抽出したデジタル航空写真画像を前記抽出した地図に重ねた後に前記統合撮影アイコン図を合成する手段と
を有することを特徴とする請求項１記載の位置方位付き写真提供システム。
【請求項３】
前記サーバは、
前記画面の撮影位置・方向アイコン付き画像の撮影アイコンが指定されたとき、該指定された位置に対応する前記位置情報を有する前記撮影識別情報付き写真画像を前記第２のデータベースから検索し、該検索した撮影識別情報付き写真画像を、前記撮影・位置方向アイコン付き画像の撮影アイコン上に表示させる手段と
を有することを特徴とする請求項１又は２記載の位置方位付き写真提供システム。
【請求項４】
前記サーバは、
前記撮影識別情報付き写真画像を引き当て、その撮影方向を読み、該撮影方向で撮影識別情報付き写真画像を回転させて、その写真画像の位置情報に対応する前記撮影・位置方向アイコン付き画像の撮影アイコン上に前記引き当てた撮影識別情報付き写真画像を表示させる手段と
を有することを特徴とする請求項１、２又は３記載の位置方位付き写真提供システム。
【請求項５】
前記サーバは、
一定地域毎のＤＥＭデータが記憶された第５のデータベースを有して表示部を有するパソコンに接続され、
前記電子端末から、前記撮影識別情報付き写真画像を受信したとき、該画像を前記パソコンの表示部に表示させる手段と、
前記パソコンの表示部に前記撮影識別情報付き写真画像を表示させた後に、該パソコンからの撮影位置、撮影方向に該当する撮影識別情報付き写真画像を、前記第２のデータベースから抽出して前記電子端末に送信する手段と、
前記該パソコンからの撮影位置、撮影方向に該当する撮影識別情報付き写真画像が前記第２のデータベースに保存されていないときは、前記第５のデータベースのＤＥＭデータから前記指定された撮影位置から前記指定された撮影方向の疑似画像を作成して前記電子端末に送信する手段と
を有することを特徴とする請求項１、２、３又は４記載の位置方位付き写真提供システム。
【請求項６】
写真画像に、少なくとも時刻情報と撮影方向と撮影位置とからなる撮影識別情報を付加した撮影識別情報付き写真画像を読み込んで、地図又はデジタル写真画像上に前記撮影識別情報の方向を示すアイコンを表示させる位置方位付き写真提供装置であって、
緯度経度が割り振られた地図を記憶した第１のデータベースと、
前記撮影識別情報付き写真画像が記憶される第２のデータベースと、
時刻情報毎でかつ地図の座標系でメッシュ群が定義される撮影アイコン図を記憶した第３のデータベースと、
前記撮影識別情報付き写真画像を前記第２のデータベースに記憶させ、この撮影識別情報付き写真画像の撮影位置を含む地図を前記第１のデータベースから検索する手段と、
前記地図が検索される毎に、前記撮影識別情報付き写真画像の撮影位置を、前記検索された地図上の座標系で前記メッシュ群を前記第３のデータベースに、前記時刻情報毎に定義する手段と、
前記撮影識別情報付き写真画像の撮影方向を読み、該撮影方向を前記メッシュ群に定義し、この方向に従った矢印付きの撮影アイコンを、前記定義された位置のメッシュに生成して前記時刻情報毎の前記撮影アイコン図を得る手段と、
位置が指定されたとき、該位置を有する前記時刻情報毎の撮影アイコン図を合成した統合撮影アイコン図を生成し、この統合撮影アイコン図と前記指定された位置を有する前記第１のデータベースの地図を抽出し、該抽出した地図を合成した撮影位置・方向アイコン付き画像を得て、これを画面に表示する手段と、
を有することを特徴とする位置方位付き写真提供装置。
【請求項７】
前記地図のデジタル航空写真画像を記憶した第４のデータベースと、
前記位置が指定されて前記地図を抽出したとき、該抽出した地図の前記デジタル航空写真画像を前記第４のデータベースから抽出し、該抽出したデジタル航空写真画像を前記抽出した地図に重ねた後に前記統合撮影アイコン図を合成する手段と
を有することを特徴とする請求項６記載の位置方位付き写真提供装置。
【請求項８】
前記画面の撮影位置・方向アイコン付き画像の撮影アイコンが指定されたとき、該指定された位置に対応する前記位置情報を有する前記撮影識別情報付き写真画像を前記第２のデータベースから検索し、該検索した撮影識別情報付き写真画像を、前記撮影・位置方向アイコン付き画像の撮影アイコン上に表示させる手段と
を有することを特徴とする請求項６又は７に記載の位置方位付き写真提供装置。
【請求項９】
前記撮影識別情報付き写真画像を引き当て、その撮影方向を読み、該撮影方向で撮影識別情報付き写真画像を回転させて、その写真画像の位置情報に対応する前記撮影・位置方向アイコン付き画像の撮影アイコン上に前記引き当てた撮影識別情報付き写真画像を表示させる手段と
を有することを特徴とする
請求項６、７又は８記載の位置方位付き写真提供装置。
【手続補正２】
【補正対象書類名】明細書
【補正対象項目名】００２０
【補正方法】変更
【補正の内容】
【００２０】
本発明は、対象物を撮像して、この写真画像に、少なくとも時刻情報と撮影方向と撮影位置とからなる撮影識別情報を付加した撮影識別情報付き写真画像を、電子端末が監視センターのサーバに送信し、該監視センターのサーバが前記撮影位置を含む地図又はデジタル写真画像を電子端末の画面に提供する位置方位付き写真提供システムである。
【手続補正３】
【補正対象書類名】明細書
【補正対象項目名】００２１
【補正方法】変更
【補正の内容】
【００２１】
前記電子端末は、
位置情報取得機能、撮影方向取得機能、通信機能、時刻情報計測機能、写真画像取得機能を有し、該写真画像取得機能で前記対象物を撮影したとき、その撮影に同期して写真画像に、前記位置情報取得機能の位置情報、前記撮影方向取得機能の撮影方向及び前記時刻情報計測機能の時刻情報を組み合わせた撮影識別情報を前記写真画像に合成し、これを撮影識別情報付き写真画像として前記監視センターのサーバに送信する。
【手続補正４】
【補正対象書類名】明細書
【補正対象項目名】００２３
【補正方法】変更
【補正の内容】
【００２３】
本発明の位置方位付き写真提供装置は、写真画像に、少なくとも時刻情報と撮影方向と撮影位置とからなる撮影識別情報を付加した撮影識別情報付き写真画像を読み込んで、地図又はデジタル写真画像上に前記撮影識別情報の方向を示すアイコンを表示させる位置方位付き写真提供装置である。
【手続補正５】
【補正対象書類名】明細書
【補正対象項目名】００２４
【補正方法】変更
【補正の内容】
【００２４】
緯度経度が割り振られた地図を記憶した第１のデータベースと、
前記撮影識別情報付き写真画像が記憶される第２のデータベースと、
時刻情報毎でかつ地図の座標系でメッシュ群が定義される撮影アイコン図を記憶した第３のデータベースと、
前記撮影識別情報付き写真画像を前記第２のデータベースに記憶させ、この撮影識別情報付き写真画像の撮影位置を含む地図を前記第１のデータベースから検索する手段と、
前記地図が検索される毎に、前記撮影識別情報付き写真画像の撮影位置を、前記検索された地図上の座標系で前記メッシュ群を前記第３のデータベースに、前記時刻情報毎に定義する手段と、
前記撮影識別情報付き写真画像の撮影方向を読み、該撮影方向を前記メッシュ群に定義し、この方向に従った矢印付きの撮影アイコンを、前記定義された位置のメッシュに生成して前記時刻情報毎の前記撮影アイコン図を得る手段と、
位置が指定されたとき、該位置を有する前記時刻情報毎の撮影アイコン図を合成した統合撮影アイコン図を生成し、この統合撮影アイコン図と前記指定された位置を有する前記第１のデータベースの地図を抽出し、該抽出した地図を合成した撮影位置・方向アイコン付き画像を得て、これを画面に表示する手段と、
を備えたことを要旨とする。